(57)【特許請求の範囲】
【請求項１】
空気調和機本体のスクロール部と舌部とで囲まれた空気吹出し口内に風向変更板を備えた壁掛け型空気調和装置において、スクロール部と舌部とで囲まれた空気吹出し口内の狭まった上流位置に該空気吹出し口内に突出するイオン発生装置を備え、
前記イオン発生装置は、平行な２枚の平板を前記空気吹出し口内に突出させて立設し、これら２枚の平板により挟まれる空間の内部にイオン発生ニードルを設けると共に、このイオン発生ニードルの先端よりも前記２枚の平板の頂部を高くした構成を有し、前記２枚の平板は前記空気吹出し口から吹き出される気流に対し略平行であること、を特徴とする壁掛け型空気調和装置。
【請求項２】
空気調和機本体のスクロール部と舌部とで囲まれた空気吹出し口内に風向変更板を備えた壁掛け型空気調和装置において、空気吹出し口を構成する長手方向端部の壁面に該空気吹出し口内に突出するイオン発生装置を備え、前記イオン発生装置は、平行な２枚の平板を前記空気吹出し口内に突出させて立設し、これら２枚の平板により挟まれる空間の内部にイオン発生ニードルを設けると共に、このイオン発生ニードルの先端よりも前記２枚の平板の頂部を高くした構成を有し、前記２枚の平板は前記空気吹出し口から吹き出される気流に対し略平行であること、を特徴とする壁掛け型空気調和装置。
【請求項３】
空気調和機本体のスクロール部と舌部とで囲まれた空気吹出し口内に風向変更板を備えた壁掛け型空気調和装置において、スクロール部と舌部とで囲まれた空気吹出し口内の狭まった上流位置であって、該空気吹出し口を構成する長手方向端部の壁面に該空気吹出し口内に突出するイオン発生装置を備え、前記イオン発生装置は、平行な２枚の平板を前記空気吹出し口内に突出させて立設し、これら２枚の平板により挟まれる空間の内部にイオン発生ニードルを設けると共に、このイオン発生ニードルの先端よりも前記２枚の平板の頂部を高くした構成を有し、前記２枚の平板は前記空気吹出し口から吹き出される気流に対し略平行であること、を特徴とする壁掛け型空気調和装置。
【請求項４】
空気調和機本体のスクロール部と舌部とで囲まれた空気吹出し口内に風向変更板を備えた壁掛け型空気調和装置において、
前記風向変更板が、リモートコントローラ等からの信号に応じて風向が変更され、前記空気吹出し口の短手方向に延材して気流を左右に振り分け自在な複数枚の垂直板を備えると共に、前記スクロール部と前記舌部とで囲まれた空気吹出し口内にイオン発生装置を備え、前記イオン発生装置は、平行な２枚の平板を前記空気吹出し口内に突出させて立設し、これら２枚の平板により挟まれる空間の内部にイオン発生ニードルを設けると共に、このイオン発生ニードルの先端よりも前記２枚の平板の頂部を高くした構成を有し、かつ、前記２枚の平板は前記空気吹出し口から吹き出される気流に対し略平行であり、
さらに、前記空気吹出し口からの気流に含まれるイオンの流れ方向及びその流量を表示する表示装置を空気調和機本体の前面に備えたことを特徴とする壁掛け型空気調和装置。
【請求項５】
前記イオン発生装置は、前記２枚の平板により挟まれる空間の内部において前記イオン発生ニードルに対向するアース部材を設け、このアース部材と前記イオン発生ニードルとの間に絶縁沿面距離を増大させるための中間絶縁体を介在させたことを特徴とする請求項１ないし４のいずれか一項記載の壁掛け型空気調和装置。
【発明の詳細な説明】
【０００１】
【発明の属する技術分野】
本発明は、空気調和機本体の空気吹出し口に風向変更板を備えた壁掛け型空気調和装置に関する。
【０００２】
【従来の技術】
一般に、空気調和機本体のスクロール部と舌部とで囲まれた空気吹出し口内に風向変更板を備えた壁掛け型空気調和装置が知られている。この種の壁掛け型空気調和装置では、風向変更板の向きを変えることによって、空気吹出し口からの吹出し気流の方向を制御できるように構成されている。
【０００３】
【発明が解決しようとする課題】
この種のものにおいて、空気吹出し口内にイオン発生装置を設け、空気吹出し口からの気流に対し、イオン発生装置からのマイナスイオンを乗せて被調和室内に供給することが考えられる。しかし、空気吹出し口内には風向変更板を備えるため、イオン発生装置をどの位置に設けるかが課題となる。また、空気吹出し口内にイオン発生装置を設けた場合、ユーザーは、どの方向にどの程度のイオンが吹き出されているかを判断しにくい。
【０００４】
そこで、本発明の目的は、風向変更板の邪魔にならず、風向変更板がいずれの方向に制御された場合であっても、空気吹出し口からの気流に対し、確実にマイナスイオンを乗せて被調和室内に供給することができ、また、被調和室のどの方向にどの程度のイオンが吹き出されているかを簡単に判断できる壁掛け型空気調和装置を提供することにある。
【０００５】
【課題を解決するための手段】
請求項１記載の発明は、空気調和機本体のスクロール部と舌部とで囲まれた空気吹出し口内に風向変更板を備えた壁掛け型空気調和装置において、スクロール部と舌部とで囲まれた空気吹出し口内の狭まった上流位置に該空気吹出し口内に突出するイオン発生装置を備え、前記イオン発生装置は、平行な２枚の平板を前記空気吹出し口内に突出させて立設し、これら２枚の平板により挟まれる空間の内部にイオン発生ニードルを設けると共に、このイオン発生ニードルの先端よりも前記２枚の平板の頂部を高くした構成を有し、前記２枚の平板は前記空気吹出し口から吹き出される気流に対し略平行であること、を特徴とする。
【０００６】
請求項２記載の発明は、空気調和機本体のスクロール部と舌部とで囲まれた空気吹出し口内に風向変更板を備えた壁掛け型空気調和装置において、空気吹出し口を構成する長手方向端部の壁面に該空気吹出し口内に突出するイオン発生装置を備え、前記イオン発生装置は、平行な２枚の平板を前記空気吹出し口内に突出させて立設し、これら２枚の平板により挟まれる空間の内部にイオン発生ニードルを設けると共に、このイオン発生ニードルの先端よりも前記２枚の平板の頂部を高くした構成を有し、前記２枚の平板は前記空気吹出し口から吹き出される気流に対し略平行であること、を特徴とする。
【０００７】
請求項３記載の発明は、空気調和機本体のスクロール部と舌部とで囲まれた空気吹出し口内に風向変更板を備えた壁掛け型空気調和装置において、スクロール部と舌部とで囲まれた空気吹出し口内の狭まった上流位置であって、該空気吹出し口を構成する長手方向端部の壁面に該空気吹出し口内に突出するイオン発生装置を備え、前記イオン発生装置は、平行な２枚の平板を前記空気吹出し口内に突出させて立設し、これら２枚の平板により挟まれる空間の内部にイオン発生ニードルを設けると共に、このイオン発生ニードルの先端よりも前記２枚の平板の頂部を高くした構成を有し、前記２枚の平板は前記空気吹出し口から吹き出される気流に対し略平行であること、を特徴とする。
【０００８】
請求項４記載の発明は、空気調和機本体のスクロール部と舌部とで囲まれた空気吹出し口内に風向変更板を備えた壁掛け型空気調和装置において、前記風向変更板が、リモートコントローラ等からの信号に応じて風向が変更され、前記空気吹出し口の短手方向に延材して気流を左右に振り分け自在な複数枚の垂直板を備えると共に、前記スクロール部と前記舌部とで囲まれた空気吹出し口内にイオン発生装置を備え、前記イオン発生装置は、平行な２枚の平板を前記空気吹出し口内に突出させて立設し、これら２枚の平板により挟まれる空間の内部にイオン発生ニードルを設けると共に、このイオン発生ニードルの先端よりも前記２枚の平板の頂部を高くした構成を有し、かつ、前記２枚の平板は前記空気吹出し口から吹き出される気流に対し略平行であり、さらに、前記空気吹出し口からの気流に含まれるイオンの流れ方向及びその流量を表示する表示装置を空気調和機本体の前面に備えたことを特徴とする。
【０００９】
請求項５記載の発明は、請求項１ないし４のいずれか一項記載のものにおいて、前記イオン発生装置は、前記２枚の平板により挟まれる空間の内部において前記イオン発生ニードルに対向するアース部材を設け、このアース部材と前記イオン発生ニードルとの間に絶縁沿面距離を増大させるための中間絶縁体を介在させたことを特徴とする。
【００１２】
【発明の実施の形態】
以下、本発明の実施の形態を、図面に基づき説明する。
【００１３】
図１は、壁掛け型空気調和装置の縦断面図である。１は空気調和機本体を示しており、この本体１は壁３に据え付けられている。この本体１内には室内側熱交換器５と、クロスフローファン７とが設置されている。この本体１の上部１Ａには上部吸い込み口９がグリル状に形成され、この上部１Ａの前縁部１Ｂには、吸い込みグリル１１が上端１１Ａを、図示を省略した支点を中心にヒンジ連結した状態で、下端１１Ｂが本体１前面から開放自在に取り付けられている。
【００１４】
この吸い込みグリル１１の内側には、フィルタ素材（図示せず）を有した吸い込みフィルタ１３が、昇降自在に取り付けられている。
【００１５】
空気調和機本体１の下部には、スクロール部１７と舌部１９とで囲まれた空気吹出し口２１が形成され、この空気吹出し口２１内には風向変更板２３が配置されている。この風向変更板２３は、空気吹出し口２１の下側長手方向に延材する幅狭の下側水平板２３Ａと、空気吹出し口２１の上側長手方向に延材する上側水平板２３Ｂと、空気吹出し口２１の短手方向に延材する複数枚の垂直板２３Ｃとを備えて構成されている。
【００１６】
本実施形態では、スクロール部１７と舌部１９とで囲まれた空気吹出し口２１内の狭まった最も上流位置であって、図２に示すように、該空気吹出し口２１を構成する長手方向端部の壁面２１Ａに、該空気吹出し口２１内に突出するイオン発生装置２５が取り付けられている。
【００１７】
図３はイオン発生装置２５の分解斜視図、図４はその組み立て図である。イオン発生装置２５は、図３に示すように、イオン発生装置本体２６と、このイオン発生装置本体２６の上部開口２６Ａに挿入される先端部２７Ａを有したホルダ２７と、このホルダ２７の下面に固定される、上向きのイオン発生ニードル２８Ａを有したイオン発生体２８と、このイオン発生体２８を固定する固定板２９とを備えて構成されている。これを組み立てる場合、ホルダ２７と、イオン発生体２８と、固定板２９とを一体化した後、ホルダ２７の先端部２７Ａを上部開口２６Ａに挿入し、最後に、図４に示すように、この一体物をカバー３０でイオン発生装置本体２６に固定して組み立てる。
【００１８】
イオン発生装置２５は、図２に示すように、ホルダ２７の先端部２７Ａを、空気吹出し口２１内に突出させるようにして、空気吹出し口２１を構成する長手方向端部の壁面２１Ａに、イオン発生装置本体２６を固定して取り付けられる。このイオン発生装置２５は、図３及び図４において、リード線３１を有し、このリード線３１を通じて所定の電圧を印加すると、イオン発生ニードル２８Ａの先端部からマイナスイオンが放出される。
【００１９】
本実施形態では、イオン発生装置２５が上述したように空気吹出し口２１内の奥まった特定位置に固定されている。
【００２０】
すなわち、スクロール部１７と舌部１９とで囲まれた空気吹出し口２１内の狭まった上流位置であって、図２に示すように、該空気吹出し口２１を構成する長手方向端部の壁面２１Ａに固定されている。ここで、空気吹出し口２１内の奥まった位置とは、例えば、スクロール部１７と舌部１９とで囲まれた空気吹出し口２１内の狭まった上流位置であればよく、該空気吹出し口２１を構成する長手方向端部の壁面２１Ａに限定されるものではない。
【００２１】
本実施形態では、イオン発生装置２５が、風向変更板２３の方向制御に邪魔になることがなく、風向変更板２３Ａ〜２３Ｃがいずれの方向に制御された場合であっても、イオン発生ニードル２８Ａの先端から放出されるマイナスイオンを、空気吹出し口２１からの気流に確実に乗せることができる。従って、風向変更板２３Ａ〜２３Ｃがいずれの方向に制御されても、このマイナスイオンを被調和室内に均一に供給することができる。
【００２２】
図６及び図７は、イオン発生装置２５の別の実施形態を示す。
【００２３】
各図において、図３及び図４と同一の構成部分には同一の符号を付してその説明を省略する。このイオン発生装置２５は、イオン発生ニードル２８Ａを有したイオン発生体２８を備え、当該イオン発生ニードル２８Ａは、図７に示すように、絶縁体で囲まれた開放空間４０内に突出している。
【００２４】
この開放空間４０を囲う絶縁体は、イオン発生装置本体２６と、先端部２７Ａを有したホルダ２７と、このホルダ２７の下面に固定されて、イオン発生体２８を固定する固定板２９等で構成される。
【００２５】
一対の先端部２７Ａは、専ら、イオン発生ニードル２８Ａに手が触れることのないように、防御のために設けられている。
【００２６】
上述したように、イオン発生装置２５は、リード線３１を有し、このリード線３１を通じて所定の高電圧が印加されると、イオン発生ニードル２８Ａの先端部からマイナスイオンが放出される。
【００２７】
ところで、実証試験の結果、イオン発生装置２５が長時間使用された場合、開放空間４０を囲う絶縁体、特に、ホルダ２７の一対の先端部２７Ａにマイナス電荷が帯電することが判明した。これが放置されると、イオン発生ニードル２８Ａの先端部から放出されるマイナスイオンの量が減少するが、このマイナスイオンの量は、増加させることが望ましい。
【００２８】
このマイナスイオンの量を増加させるため、イオン発生ニードル２８Ａの近傍に板金製のアース部材４１が配置される。
【００２９】
このアース部材４１は、図６に示すように、アース板４１Ａを備え、このアース板４１Ａは、図７に示すように、一対の先端部２７Ａの内法間を塞ぐように、イオン発生ニードル２８Ａと対向して配置される。アース部材４１とホルダ２７との間には、図６に示すように、アース線４５が挿入され、これらはボルト４６及びナット４７で結合される。アース線４５は空気調和機本体に接続され、冷媒管並びに室外ユニット等を通じて接地される。
【００３０】
本実施形態では、イオン発生装置２５が長時間使用された場合であっても、一対の先端部２７Ａに帯電したマイナス電荷が、アース線４５を通じてグランドに逃げるため、一対の先端部２７Ａへの帯電量が減少し、開放空間４０近傍の電界強度が増して、イオン発生ニードル２８Ａの先端部から放出されるマイナスイオン量を増加させることができる。
【００３１】
このアース板４１Ａは、イオン発生ニードル２８Ａに近付けるほど、開放空間４０近傍の電界強度が増し、イオン発生ニードル２８Ａの先端部から放出されるマイナスイオン量が増加する。一方、余り近付けると、イオン発生ニードル２８Ａとアース板４１Ａとの間でコロナ放電が起こる。従って、コロナ放電が起きない範囲で極力近付けて設置される。
【００３２】
本実施形態では、図６を参照して、ホルダ２７に突起状の中間絶縁体２７Ｂが形成されている。この中間絶縁体２７Ｂは、図７に示すように、一対の先端部２７Ａの内法間に延在するように、イオン発生ニードル２８Ａとアース板４１Ａとの間に突出し、イオン発生ニードル２８Ａとアース板４１Ａとの間の絶縁沿面距離を増大させる。
【００３３】
イオン発生ニードル２８Ａとアース板４１Ａとの間の距離が短い場合、イオン発生ニードル２８Ａに高電圧が印加されると、アース板４１Ａに向かって電流が流れる。その間に例えば埃等が介在すると、この埃等を介して、アース板４１Ａに電流が流れ易くなる。
【００３４】
本実施形態では、中間絶縁体２７Ｂを設けることによって、アース板４１Ａへの電流の流れを阻止することができる。
【００３５】
中間絶縁体２７Ｂの位置は、イオン発生ニードル２８Ａとアース板４１Ａとの間に限定されるものではない。例えば、アース部材が開放空間を囲う絶縁体（一対の先端部２７Ａ）の裏面２７Ｃに形成された導電性塗料或いは導電性メッキ等で構成されていてもよいことは明らかである。
【００３６】
図５は、空気吹出し口２１からの気流に含まれるイオンの流れ方向及びその流量を表示する表示装置を示す。
【００３７】
この表示装置３１は、空気調和機本体１（吸い込みグリル１１）の前面の長手方向略中央部（図１参照）に取り付けられる。この表示装置３１は、複数のＬＥＤ列３１Ａ〜３１Ｃからなる風向を表示する表示部（風向モニター）と、イオンの発生を表示する表示部（イオンモニター）３１Ｄとを備えて構成される。このＬＥＤ３１Ｄは、フィルターサインを兼ねており、フィルターの汚れが検知されると、その汚れの事実を表示し、それ以後、フィルターの汚れが除去されるまで、イオン発生は表示されない。
【００３８】
複数のＬＥＤ列３１Ａ〜３１Ｃは、空気吹出し口２１からの気流の風向を示すが、この気流に乗ってイオンが流れる。従って、各ＬＥＤ列３１Ａ〜３１Ｃは、イオンの流れ方向を指し示す。
【００３９】
例えば、図５中で、左側縦列のＬＥＤ列３１Ａが点灯した場合、イオンを含む気流は、空気吹出し口２１から左方向に吹き出され、中央縦列のＬＥＤ列３１Ｂが点灯した場合、イオンを含む気流は、空気吹出し口２１から中央に吹き出され、右側縦列のＬＥＤ列３１Ｃが点灯した場合、イオンを含む気流は、空気吹出し口２１から右方向に吹き出される。
【００４０】
これによれば、各ＬＥＤ列３１Ａ〜３１Ｃの点灯状態を見ただけで、いずれの方向にイオンが流れているかを確認できる。
【００４１】
空気吹出し口２１からの風速が変化した場合、各ＬＥＤ列３１Ａ〜３１Ｃの表示形態を変化させる。イオン発生装置２５からのイオン発生量が略一定であれば、風速が増した場合、イオンの吹出し量が増加する。
【００４２】
例えば、気流の流れ方向を示す表示形態として、各ＬＥＤ列３１Ａ〜３１Ｃの点灯を、上のＬＥＤから下のＬＥＤに向けて時間をずらして連続的に点灯、消灯させる形態が採用された場合、風速が増すに連れて時間のずれ量を少なくする、等の形態変化が採用される。
【００４３】
これによれば、各ＬＥＤ列３１Ａ〜３１Ｃの表示形態を見ただけで、どの程度の量のイオンが流れているかを簡単に確認できる。
【００４４】
以上、本発明を上記実施の形態に基づいて説明したが、本発明はこれに限定されるものではない。
【００４５】
【発明の効果】
本発明では、風向変更板の邪魔にならず、風向変更板がいずれの方向に制御された場合であっても、空気吹出し口からの気流に対し、確実にマイナスイオンを乗せて被調和室内に供給することができる。
【００４６】
本発明では、被調和室のどの方向にどの程度のイオンが吹き出されているかを簡単に判断することができる。
【図面の簡単な説明】
【図１】本発明による壁掛け型空気調和装置の一実施形態を示す縦断面図である。
【図２】イオン発生装置の取り付け状態を示す斜視図である。
【図３】イオン発生装置の分解斜視図である。
【図４】イオン発生装置の組み立て図である。
【図５】表示装置を示す図である。
【図６】別の実施形態によるイオン発生装置の分解斜視図である。
【図７】別の実施形態によるイオン発生装置の組み立て図である。
【符号の説明】
１  空気調和機本体
１１  吸い込みグリル
１３  吸い込みフィルタ
１７  スクロール部
１９  舌部
２１  空気吹出し口
２３  風向変更板
２３Ａ  下側水平板
２３Ｂ  上側水平板
２３Ｃ  垂直板
２５  イオン発生装置
２７Ｂ  中間絶縁体
２８Ａ  イオン発生ニードル
３１  表示装置
３１Ａ〜３１Ｃ  ＬＥＤ列
４０  開放空間
４１  アース部材
４１Ａ  アース板
４５  アース線
【図１】
0003806640.tif 000002
【図２】
0003806640.tif 000003
【図３】
0003806640.tif 000004
【図４】
0003806640.tif 000005
【図５】
0003806640.tif 000006
【図６】
0003806640.tif 000007
【図７】
0003806640.tif 000008